(57)【要約】  目的地が定まっていない場合であっても、ユーザの現在位置から大よその方向でに存在する施設等の情報を効率良く取得することが可能なサーバ装置、情報提供プログラム、情報提供方法、及び情報提供システムを提供する。  サーバ装置は、携帯型端末装置において取得された位置情報、方向情報、及び情報取得要求を、当該携帯型端末装置から受信すると、該位置情報及び該方向情報に基づいて情報抽出範囲を決定する。そして、サーバ装置は、決定した情報抽出範囲内の位置に対応する提供情報を抽出し、該提供情報を携帯型端末装置に提供するように構成した。
2011093322.tif 000002
【特許請求の範囲】
【請求項１】
携帯型端末装置の位置を示す位置情報、前記携帯型端末装置のユーザが情報の取得を希望する方向の決定に用いられる方向決定用情報、及び情報取得要求を、当該携帯型端末装置から通信手段を介して受信する情報取得要求受信手段と、
前記受信された前記位置情報及び前記方向決定用情報に基づいて情報抽出範囲を決定する情報抽出範囲決定手段と、
前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段と、
前記抽出された提供情報を前記通信手段を介して前記情報取得要求をした前記携帯型端末装置に送信する提供情報送信手段と、
を備えることを特徴とするサーバ装置。
【請求項２】
前記情報取得要求受信手段は、前記方向決定用情報として、前記携帯型端末装置の基準位置が向いている方向を示す方向情報を当該携帯型端末装置から通信手段を介して受信し、
前記情報抽出範囲決定手段は、前記受信された前記位置情報及び前記方向情報に基づいて情報抽出範囲を決定することを特徴とする請求項１に記載のサーバ装置。
【請求項３】
前記情報取得要求受信手段は、前記携帯型端末装置から前記情報抽出範囲内の所定地点までの距離の決定に用いられる距離決定用情報を前記携帯型端末装置から受信し、
前記情報抽出範囲決定手段は、前記受信された前記位置情報、前記方向決定用情報、及び前記距離決定用情報に基づいて情報抽出範囲を決定することを特徴とする請求項１又は２に記載のサーバ装置。
【請求項４】
前記情報抽出範囲内の位置に対応する前記提供情報の数に基づいて、当該情報抽出範囲の大きさを変更する情報抽出範囲変更手段をさらに備えることを特徴とする請求項１乃至３の何れか一項に記載のサーバ装置。
【請求項５】
前記情報取得要求受信手段は、前記距離決定用情情報として、前記携帯型端末装置において特定された加速度を示す加速度情報を当該携帯型端末装置から受信し、
前記情報抽出範囲決定手段は、前記受信された前記位置情報、前記方向決定用情報、及び前記加速度情報に基づいて情報抽出範囲を決定することを特徴とする請求項３又は４に記載のサーバ装置。
【請求項６】
前記情報取得要求受信手段は、前記加速度が前記携帯型端末装置において特定された後、所定時間内に前記携帯型端末装置において特定された第２の加速度を示す第２加速度情報を当該携帯型端末装置から受信し、
前記情報抽出範囲決定手段は、さらに、前記受信された第２加速度情報に基づいて、前記情報抽出範囲を決定することを特徴とする請求項５に記載のサーバ装置。
【請求項７】
最初の前記加速度の方向と前記第２の加速度の方向とは異なる方向であることを特徴とする請求項６に記載のサーバ装置。
【請求項８】
前記情報取得要求受信手段は、前記携帯型端末装置の表示部に表示されている領域に関する領域情報を当該携帯型端末装置から受信し、
特定される加速度の最大値を設定する最大加速度設定手段と、
前記加速度情報に基づいて決定する距離の最大値を、前記領域情報に基づいて設定する最大距離設定手段と、をさらに備え、
前記情報要素決定手段は、前記設定された加速度の最大値と距離の最大値に基づいて、前記受信された加速度情報に示される加速度に対応する距離を決定することを特徴とする請求項５乃至７の何れか一項に記載のサーバ装置。
【請求項９】
前記提供情報は属性情報を含み、
前記情報取得要求受信手段は、前記携帯型端末装置おいてユーザにより指定された属性情報を当該前記携帯型端末装置から受信し、
前記提供情報抽出手段は、前記受信された属性情報を含む前記提供情報を前記提供情報記憶手段から抽出することを特徴とする請求項１乃至８の何れか一項に記載のサーバ装置。
【請求項１０】
コンピュータを、
携帯型端末装置の位置を示す位置情報、前記携帯型端末装置のユーザが情報の取得を希望する方向の決定に用いられる方向決定用情報、及び情報取得要求を、当該携帯型端末装置から通信手段を介して受信する情報取得要求受信手段、
前記受信された前記位置情報及び前記方向決定用情報に基づいて情報抽出範囲を決定する情報抽出範囲決定手段、
前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段、及び
前記抽出された提供情報を前記通信手段を介して前記情報取得要求をした前記携帯型端末装置に送信する提供情報送信手段として機能させることを特徴とする情報提供プログラム。
【請求項１１】
コンピュータを、
前記携帯型端末装置の位置を示す位置情報、前記携帯型端末装置のユーザが情報の取得を希望する方向の決定に用いられる方向決定用情報、及び情報取得要求を、当該携帯型端末装置から通信手段を介して受信する情報取得要求受信手段、
前記受信された前記位置情報及び前記方向決定用情報に基づいて情報抽出範囲を決定する情報抽出範囲決定手段、
前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段、及び
前記抽出された提供情報を前記通信手段を介して前記情報取得要求をした前記携帯型端末装置に送信する提供情報送信手段として機能させる情報提供プログラムを記録した記録媒体。
【請求項１２】
サーバ装置が、携帯型端末装置の位置を示す位置情報、前記携帯型端末装置のユーザが情報の取得を希望する方向の決定に用いられる方向決定用情報、及び情報取得要求を、当該携帯型端末装置から通信手段を介して受信するステップと、
前記サーバ装置が、前記受信された前記位置情報及び前記方向決定用情報に基づいて情報抽出範囲を決定するステップと、
前記サーバ装置が、前記携帯型端末装置のユーザに提供されるべき提供情報を位置情報に対応付けて記憶する提供情報記憶手段から、前記決定された情報抽出範囲内の位置に対応する前記提供情報を抽出するステップと、
前記サーバ装置が、前記抽出された提供情報を前記通信手段を介して前記情報取得要求をした前記携帯型端末装置に送信するステップと、
を含むことを特徴とする情報提供方法。
【請求項１３】
携帯型端末装置と、該携帯型端末装置が通信手段を介してアクセス可能なサーバ装置と、を備える情報提供システムであって、
前記携帯型端末装置は、
前記携帯型端末装置の位置を示す位置情報を取得する位置情報取得手段と、
前記携帯型端末装置のユーザが情報の取得を希望する方向の決定に用いられる方向決定用情報を取得する方向情報取得手段と、
前記取得された位置情報、方向決定用情報を、及び情報取得要求を通信手段を介して前記サーバ装置に送信する情報取得要求送信手段と、
を備え、
前記サーバ装置は、
前記送信された位置情報、方向決定用情報、及び情報取得要求を受信する情報取得要求受信手段と、
前記受信された前記位置情報及び前記方向決定用情報に基づいて情報抽出範囲を決定する情報抽出範囲決定手段と、
前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段と、
前記抽出された提供情報を前記通信手段を介して前記情報取得要求をした前記携帯型端末装置に送信する提供情報送信手段と、
を備えることを特徴とする情報提供システム。
【請求項１４】
前記情報取得要求受信手段は、前記方向決定用情報として、前記携帯型端末装置の基準位置が向いている方向を示す方向情報を当該携帯型端末装置から通信手段を介して受信し、
前記情報抽出範囲決定手段は、前記受信された前記位置情報及び前記方向情報に基づいて情報抽出範囲を決定することを特徴とする請求項１３に記載の情報提供システム。
【請求項１５】
前記情報取得要求送信手段は、前記携帯型端末装置から前記情報抽出範囲内の所定地点までの距離の決定に用いられる距離決定用情報を前記携帯型端末装置から受信し、
前記情報抽出範囲決定手段は、前記受信された前記位置情報、前記方向決定用情報、及び前記距離決定用情報に基づいて情報抽出範囲を決定することを特徴とする請求項１３又は１４に記載の情報提供システム。
【請求項１６】
携帯型端末装置の位置を示す位置情報、前記携帯型端末装置のユーザが情報の取得を希望する方向の決定に用いられる方向決定用情報、及び情報取得要求を通信手段を介してサーバ装置に送信する情報取得要求送信手段と、
前記情報取得要求送信手段により送信された情報に応じて、前記サーバ装置から送信されてくる、情報要素を受信する受信手段と、
前記受信された情報要素を表示する表示手段と、
を備えることを特徴とする携帯型端末装置。
【請求項１７】
前記情報取得要求送信手段は、前記方向決定用情報として、前記携帯型端末装置の基準位置が向いている方向を示す方向情報を前記サーバ装置に送信することを特徴とする請求項１６に記載の携帯型端末装置。
【請求項１８】
前記情報取得要求送信手段は、前記サーバ装置による情報抽出の範囲内の所定地点までの距離の決定に用いられる距離決定用情情報を前記サーバ装置に送信することを特徴とする請求項１６又は１７に記載の携帯型端末装置。
【請求項１９】
携帯型端末装置に含まれるコンピュータを、
前記携帯型端末装置の位置を示す位置情報、前記携帯型端末装置のユーザが情報の取得を希望する方向の決定に用いられる方向決定用情報、及び情報取得要求を通信手段を介して前記サーバ装置に送信する情報取得要求送信手段、
前記送信された情報に応じて、前記サーバ装置から送信されてくる、情報要素を受信する受信手段、及び、
前記受信された情報要素を表示する表示手段として機能させることを特徴とする端末処理プログラム。
【請求項２０】
携帯型端末装置に含まれるコンピュータを、
前記携帯型端末装置の位置を示す位置情報、前記携帯型端末装置のユーザが情報の取得を希望する方向の決定に用いられる方向決定用情報、及び情報取得要求を通信手段を介して前記サーバ装置に送信する情報取得要求送信手段、
前記送信された情報に応じて、前記サーバ装置から送信されてくる、情報要素を受信する受信手段、及び、
前記受信された情報要素を表示する表示手段として機能させる端末処理プログラムを記録した記録媒体。
【発明の詳細な説明】
【技術分野】
【０００１】
本発明は、携帯型端末装置と、該携帯型端末装置が通信手段を介してアクセス可能なサーバ装置と、を備える情報提供システム等の技術分野に関する。
【背景技術】
【０００２】
従来から、ユーザにより使用される端末が位置情報に基づいて周辺施設の電子クーポン等の有用な情報を取得する技術が知られている。例えば、特許文献１には、ユーザの現在位置を基準として実距離が最も近い施設の電子クーポンを取得する技術が開示されている。また、特許文献２には、ユーザの現在位置を基準とした円内の範囲に含まれる電子クーポンを取得する技術が開示されている。更に、特許文献３には、車両に組込まれるナビ本体が、目的地や経路の周辺に存在する土産物店舗の電子クーポンを取得する技術が開示されている。
【先行技術文献】
【特許文献】
【０００３】
【特許文献１】特開２００３−１４１４０６号公報
【特許文献２】特開２００９−２１７５５３号公報
【特許文献３】特開２００９−１６８５６７号公報
【発明の概要】
【発明が解決しようとする課題】
【０００４】
しかしながら、特許文献１及び２に開示されるような従来技術では、電子クーポン等の情報の取得範囲はユーザの現在位置を基準とした全方向の範囲であるため、ユーザが望まない不要な情報が取得されてしまい煩雑であった。【０００５】
また、上記従来技術では、例えば、ある店舗にいるユーザが、未だ決まっていない別の店舗に移動したいような場合、当該別の店舗を探すために端末上に地図を表示させるなどして店舗間の距離を確認する必要があり煩雑であった。【０００６】
更に、上記従来技術では、例えば、ユーザが現在位置からの方向で且つ大よその距離に存在する店舗を探すような場合、その店舗の情報を効率良く取得することが困難であった。【０００７】
一方、特許文献３に開示されるような従来技術では、情報の取得範囲を目的地や経路の周辺に存在する店舗に限定できるものの、目的地が定まっていない場合、店舗の情報を効率良く取得することが困難であった。【０００８】
本発明は、以上の点に鑑みてなされたものであり、目的地が定まっていない場合であっても、ユーザの現在位置から大よその方向に存在する施設等の情報を効率良く取得することが可能なサーバ装置、情報提供プログラム、情報提供プログラムを記録した記録媒体、情報提供方法、携帯型端末装置、端末処理プログラム、端末処理プログラムを記録した記録媒体、及び情報提供システムを提供することを課題の一例とする。
【課題を解決するための手段】
【０００９】
上記課題を解決するために、請求項１に記載の発明は、携帯型端末装置の位置を示す位置情報、前記携帯型端末装置のユーザが情報の取得を希望する方向の決定に用いられる方向決定用情報、及び情報取得要求を、当該携帯型端末装置から通信手段を介して受信する情報取得要求受信手段と、前記受信された前記位置情報及び前記方向決定用情報に基づいて情報抽出範囲を決定する情報抽出範囲決定手段と、前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段と、前記抽出された提供情報を前記通信手段を介して前記情報取得要求をした前記携帯型端末装置に送信する提供情報送信手段と、を備えることを特徴とする。この発明によれば、携帯型端末装置のユーザが、目的地が定まっていない場合であっても、ユーザの現在位置から大よその方向に存在する施設等の提供情報を携帯型端末装置で効率良く取得しユーザに提示することができる。【００１０】
請求項２に記載の発明は、請求項１に記載のサーバ装置において、前記情報取得要求受信手段は、前記方向決定用情報として、前記携帯型端末装置の基準位置が向いている方向を示す方向情報を当該携帯型端末装置から通信手段を介して受信し、前記情報抽出範囲決定手段は、前記受信された前記位置情報及び前記方向情報に基づいて情報抽出範囲を決定することを特徴とすることを特徴とする。【００１１】
請求項３に記載の発明は、請求項１又は２に記載のサーバ装置において、前記情報取得要求受信手段は、前記携帯型端末装置から前記情報抽出範囲内の所定地点までの距離の決定に用いられる距離決定用情報を前記携帯型端末装置から受信し、前記情報抽出範囲決定手段は、前記受信された前記位置情報、前記方向決定用情報、及び前記距離決定用情報に基づいて情報抽出範囲を決定することを特徴とする。この発明によれば、携帯型端末装置のユーザが、目的地が定まっていない場合であっても、ユーザの現在位置から大よその方向で且つ大よその距離に存在する施設等の提供情報を携帯型端末装置で効率良く取得しユーザに提示することができる。【００１２】
請求項４記載の発明は、請求項１乃至３の何れか一項に記載のサーバ装置において、前記所定範囲内の位置に対応する前記提供情報の数に基づいて、当該所定範囲の大きさを変更する情報抽出範囲変更手段をさらに備えることを特徴とする。この発明によれば、ユーザに提示される提供情報の数を適切な数に調整することができる。【００１３】
請求項５に記載の発明は、請求項３又は４に記載のサーバ装置において、前記情報取得要求受信手段は、前記距離決定用情情報として、前記携帯型端末装置において特定された加速度を示す加速度情報を当該携帯型端末装置から受信し、前記情報抽出範囲決定手段は、前記受信された前記位置情報、前記方向決定用情報、及び前記加速度情報に基づいて情報抽出範囲を決定することを特徴とする。【００１４】
請求項６に記載の発明は、請求項５に記載のサーバ装置において、前記情報取得要求受信手段は、前記加速度が前記携帯型端末装置において特定された後、所定時間内に前記携帯型端末装置において特定された第２の加速度を示す第２加速度情報を当該携帯型端末装置から受信し、前記情報抽出範囲決定手段は、さらに、前記受信された第２加速度情報に基づいて、前記情報抽出範囲を決定することを特徴とする。この発明によれば、ユーザは携帯型端末装置を振る速さにより情報抽出範囲の大きさを任意に調整することができる。【００１５】
請求項７に記載の発明は、請求項６に記載のサーバ装置において、最初の前記加速度の方向と前記第２の加速度の方向とは異なる方向であることを特徴とする。この発明によれば、ユーザは、携帯型端末装置を振る２つの方向で無理なく簡単に情報抽出範囲の大きさを任意に調整することができる。【００１６】
請求項８に記載の発明は、請求項５乃至７の何れか一項に記載のサーバ装置において、前記情報取得要求受信手段は、前記携帯型端末装置の表示部に表示されている領域に関する領域情報を当該携帯型端末装置から受信し、特定される加速度の最大値を設定する最大加速度設定手段と、前記加速度情報に基づいて決定する距離の最大値を、前記領域情報に基づいて設定する最大距離設定手段と、をさらに備え、前記情報要素決定手段は、前記設定された加速度の最大値と距離の最大値に基づいて、前記受信された加速度情報に示される加速度に対応する距離を決定することを特徴とする。この発明によれば、ユーザは、携帯型端末装置に現在表示されている領域の範囲内で施設等を探し、その提供情報を閲覧することができる。【００１７】
請求項９に記載の発明は、請求項１乃至８の何れか一項に記載のサーバ装置において、前記提供情報は属性情報を含み、前記情報取得要求受信手段は、前記携帯型端末装置おいてユーザにより指定された属性情報を当該前記携帯型端末装置から受信し、前記提供情報抽出手段は、前記受信された属性情報を含む前記提供情報を前記提供情報記憶手段から抽出することを特徴とする。この発明によれば、ユーザは、閲覧したい提供情報の属性を任意に指定することができる。【００１８】
請求項１０に記載の発明は、コンピュータを、前記携帯型端末装置の位置を示す位置情報、前記携帯型端末装置のユーザが情報の取得を希望する方向の決定に用いられる方向決定用情報、及び情報取得要求を、当該携帯型端末装置から通信手段を介して受信する情報取得要求受信手段、前記受信された前記位置情報及び前記方向決定用情報に基づいて情報抽出範囲を決定する情報抽出範囲決定手段、前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段、及び前記抽出された提供情報を前記通信手段を介して前記情報取得要求をした前記携帯型端末装置に送信する提供情報送信手段として機能させることを特徴とする情報提供プログラム（コンピュータ読み取り可能なプログラム）である。【００１９】
請求項１１に記載の発明は、コンピュータを、前記携帯型端末装置の位置を示す位置情報、前記携帯型端末装置のユーザが情報の取得を希望する方向の決定に用いられる方向決定用情報、及び情報取得要求を、当該携帯型端末装置から通信手段を介して受信する情報取得要求受信手段、前記受信された前記位置情報及び前記方向決定用情報に基づいて情報抽出範囲を決定する情報抽出範囲決定手段、前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段、及び前記抽出された提供情報を前記通信手段を介して前記情報取得要求をした前記携帯型端末装置に送信する提供情報送信手段として機能させる情報提供プログラムを記録した記録媒体である。【００２０】
請求項１２に記載の発明は、サーバ装置が、前記携帯型端末装置の位置を示す位置情報、前記携帯型端末装置のユーザが情報の取得を希望する方向の決定に用いられる方向決定用情報、及び情報取得要求を、当該携帯型端末装置から通信手段を介して受信するステップと、前記サーバ装置が、前記受信された前記位置情報及び前記方向決定用情報に基づいて情報抽出範囲を決定するステップと、前記サーバ装置が、前記携帯型端末装置のユーザに提供されるべき提供情報を位置情報に対応付けて記憶する提供情報記憶手段から、前記決定された情報抽出範囲内の位置に対応する前記提供情報を抽出するステップと、前記サーバ装置が、前記抽出された提供情報を前記通信手段を介して前記情報取得要求をした前記携帯型端末装置に送信するステップと、を含むことを特徴とする。【００２１】
請求項１３に記載の発明は、携帯型端末装置と、該携帯型端末装置が通信手段を介してアクセス可能なサーバ装置と、を備える情報提供システムであって、前記携帯型端末装置は、前記携帯型端末装置の位置を示す位置情報を取得する位置情報取得手段と、前記携帯型端末装置のユーザが情報の取得を希望する方向の決定に用いられる方向決定用情報を取得する方向情報取得手段と、前記取得された位置情報、方向決定用情報を、及び情報取得要求を通信手段を介して前記サーバ装置に送信する情報取得要求送信手段と、を備え、前記サーバ装置は、前記送信された位置情報、方向決定用情報、及び情報取得要求を受信する情報取得要求受信手段と、前記受信された前記位置情報及び前記方向決定用情報に基づいて情報抽出範囲を決定する情報抽出範囲決定手段と、前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段と、前記抽出された提供情報を前記通信手段を介して前記情報取得要求をした前記携帯型端末装置に送信する提供情報送信手段と、を備えることを特徴とする。【００２２】
請求項１４に記載の発明は、請求項１３に記載の情報提供システムにおいて、前記情報取得要求受信手段は、前記方向決定用情報として、前記携帯型端末装置の基準位置が向いている方向を示す方向情報を当該携帯型端末装置から通信手段を介して受信し、前記情報抽出範囲決定手段は、前記受信された前記位置情報及び前記方向情報に基づいて情報抽出範囲を決定することを特徴とする。【００２３】
請求項１５に記載の発明は、請求項１３又は１４に記載の情報提供システムにおいて、前記情報取得要求送信手段は、前記携帯型端末装置から前記情報抽出範囲内の所定地点までの距離の決定に用いられる距離決定用情報を前記携帯型端末装置から受信し、前記情報抽出範囲決定手段は、前記受信された前記位置情報、前記方向決定用情報、及び前記距離決定用情報に基づいて情報抽出範囲を決定する。【００２４】
請求項１６に記載の発明は、携帯型端末装置の位置を示す位置情報、前記携帯型端末装置のユーザが情報の取得を希望する方向の決定に用いられる方向決定用情報、及び情報取得要求を通信手段を介して前記サーバ装置に送信する情報取得要求送信手段と、前記情報取得要求送信手段により送信された情報に応じて、前記サーバ装置から送信されてくる、情報要素を受信する受信手段と、前記受信された情報要素を表示する表示手段と、を備えることを特徴とする。【００２５】
請求項１７に記載の発明は、請求項１６に記載の携帯型端末装置において、前記情報取得要求送信手段は、前記方向決定用情報として、前記携帯型端末装置の基準位置が向いている方向を示す方向情報を前記サーバ装置に送信することを特徴とする。【００２６】
請求項１８に記載の発明は、請求項１６又は１７に記載の携帯型端末装置において、前記情報取得要求送信手段は、前記サーバ装置による情報抽出の範囲内の所定地点までの距離の決定に用いられる距離決定用情情報を前記サーバ装置に送信することを特徴とする。【００２７】
請求項１９に記載の発明は、携帯型端末装置に含まれるコンピュータを、前記携帯型端末装置の位置を示す位置情報、前記携帯型端末装置のユーザが情報の取得を希望する方向の決定に用いられる方向決定用情報、及び情報取得要求を通信手段を介して前記サーバ装置に送信する情報取得要求送信手段、前記送信された情報に応じて、前記サーバ装置から送信されてくる、情報要素を受信する受信手段、及び、前記受信された情報要素を表示する表示手段として機能させることを特徴とする端末処理プログラム（コンピュータ読み取り可能なプログラム）である。【００２８】
請求項２０に記載の発明は、携帯型端末装置に含まれるコンピュータを、前記携帯型端末装置の位置を示す位置情報、前記携帯型端末装置のユーザが情報の取得を希望する方向の決定に用いられる方向決定用情報、及び情報取得要求を通信手段を介して前記サーバ装置に送信する情報取得要求送信手段、前記送信された情報に応じて、前記サーバ装置から送信されてくる、情報要素を受信する受信手段、及び、前記受信された情報要素を表示する表示手段として機能させる端末処理プログラムを記録した記録媒体である。
【発明の効果】
【００２９】
本発明によれば、携帯型端末装置のユーザが、目的地が定まっていない場合であっても、ユーザの現在位置から大よその方向に存在する施設等の提供情報を携帯型端末装置で効率良く取得しユーザに提示することができる。
【図面の簡単な説明】
【００３０】
【図１】本実施形態に係る情報提供システムＳの概要構成の一例を示す図である。
【図２】携帯端末１の概要構成例を示すブロック図である。
【図３】情報提供サーバ２の概要構成例を示すブロック図である。
【図４】携帯端末１と情報提供サーバ２における処理及び情報のやり取りを示すシーケンス図である。
【図５】始点と情報取得地点との位置関係の一例を示す図である。
【図６】携帯端末１のタッチパネル１８上に表示された地図領域の一例を示す図である。
【発明を実施するための形態】
【００３１】
以下、図面を参照して本発明の実施形態について詳細に説明する。なお、以下に説明する実施の形態は、情報提供システムに対して本発明を適用した場合の実施形態である。
【００３２】
［１．情報提供システムの構成及び機能概要］
先ず、本実施形態に係る情報提供システムＳの構成及び概要機能について、図１を用いて説明する。
【００３３】
図１は、本実施形態に係る情報提供システムＳの概要構成の一例を示す図である。
【００３４】
図１に示すように、情報提供システムＳは、携帯端末１と、携帯端末１が通信手段としてのネットワークＮＷを介してアクセス可能な情報提供サーバ２と、を備えて構成されている。なお、携帯端末１は、本発明の携帯型端末装置の一例である。また、情報提供サーバ２は、サーバ装置の一例である。
【００３５】
携帯端末１と情報提供サーバ２とは、ネットワークＮＷを介して相互にデータの送受信が可能になっている。なお、ネットワークＮＷは、例えば、インターネット、専用通信回線（例えば、ＣＡＴＶ（Community Antenna Television）回線）、移動体通信網（基地局を含む）、及びゲートウェイ等により構築されている。
【００３６】
［１−１．携帯端末１の構成及び機能概要］
図２は、携帯端末１の概要構成例を示すブロック図である。
【００３７】
図２に示すように、携帯端末１は、通信部１１、記憶部１２、ＧＰＳ(Global Positioning System)受信機１３、方位特定手段１４、加速度特定手段１５、表示部及び操作手段の一例としてのタッチパネル１６、スピーカ１７、及び制御部１８等を備えている。なお、携帯端末１には、例えば、携帯電話機，ＰＤＡ，携帯ゲーム機等が適用できる。
【００３８】
記憶部１２は、例えばフラッシュメモリ等から構成されており、ここにはＯＳ（オペレーティングシステム）及び各種アプリケーションプログラム（本発明の端末処理プログラムを含む）が記憶されている。なお、本発明の端末処理プログラムは、例えば、他のサーバ装置等からネットワークＮＷを介して取得されるようにしても良いし、記録媒体に記録されてドライブ装置を介して読み込まれるようにしても良い。
【００３９】
ＧＰＳ受信機１３は、ＧＰＳ衛星から出力される航法電波をアンテナを介して受信し、携帯端末１の現在位置（例えば経度及び緯度）を検出する。
【００４０】
方位特定手段１４は、携帯端末１の向いている方向を特定する。携帯端末１の向いている方向とは、携帯端末１の基準位置が向いている方位（方角）を意味する。ここで、携帯端末１の基準位置が向いている方位は、携帯端末１の傾きから決定することができる。例えば、携帯端末１の傾きは、携帯方位特定手段１４により認識される任意の２点を結ぶ軸の傾きである。この場合、上記２点のうち、例えば地面から高い位置にある一方の点が基準位置となり、他方の点からみた基準位置の方位が携帯端末１の基準位置が向いている方向となる。なお、傾きは、方位特定手段１４により検出された重力加速度から計算される。また、携帯端末１の傾きは、重力加速度を携帯端末１に平行な成分と垂直な成分に分離した場合の当該携帯端末１に平行な成分を軸とした場合の傾きともいうことができる。更に、携帯端末１の傾きから縦横検出が可能である場合、縦横検出結果に応じて上記２点の位置を変更（つまり、基準位置が変更）してもよい。例えば、携帯端末のユーザが、携帯端末１の横軸を地面に水平にして使用する場合、携帯端末１の縦軸と平行になるように上記２点を結ぶ軸が決定され、例えば地面から高い位置にある一方の点が基準位置となる。なお、方位特定手段は、例えばデジタルコンパス等で公知であるのこれ以上の詳しい説明を省略する。また、加速度特定手段１５は、携帯端末１において加速度を特定する。加速度を特定する手段として、三軸加速度センサーなどを含む半導体式の加速度センサーやカメラで撮影した映像を時間単位で解析することによって加速度を特定する光学式の加速度センサー、及び傾斜センサーなどを含む機械式の加速度センサーなど既知の加速度センサーを用いて加速度を特定することが可能である。例えば、三軸加速度センサーは携帯端末１の加速度を、０〜４.０(０.１刻み)で特定することができる。なお、加速度特定手段は所定の検出時間毎の複数の端末の位置情報と該検出時間の間隔に基づいて速度を特定し、該速度と前記検出時間の間隔に基づいて加速度を特定するように構成しても良い。
【００４１】
制御部１８は、例えば、ＣＰＵ，ＲＡＭ，ＲＯＭ等を有する。そして、ＣＰＵがＯＳ実行の下、アプリケーションプログラムを実行することにより、制御部１８は、位置情報取得手段、方向情報取得手段、加速度情報取得手段、及び情報取得要求送信手段として機能する。具体的には、制御部１８は、情報提供サーバ２にアクセスするためのアプリケーションプログラムを起動（以下、「アプリ起動」という）することにより通信部１１を通じて情報提供サーバ２にアクセス（接続）する。そして、制御部１８は、ＧＰＳ受信機１３により検出された現在位置を示す位置情報を該ＧＰＳ受信機１３から取得する、また、制御部１８は、方位特定手段１４により特定された方向を示す方向情報を該方位特定手段１４から取得する。ここで、制御部１８が情報提供サーバ２に送信するべき方向情報に示す方向を決定するタイミングとしては、例えば、（i）最大加速度を特定した時点、(ii)最初の加速度を検出した時点、（iii）加速度を検出しなくなった時点、(iv)ユーザにより情報取得要求ボタンが操作された時点等が挙げられる。なお、上記方向情報は、携帯端末１のユーザが、現在位置を基準として情報の取得を希望する方向の決定に用いられる方向決定用情報の一例である。方向決定用情報の他の例としては、ＧＰＳ受信機１３により検出された第１の位置（始点）を示す第１の位置情報と、この検出後に検出された第２の位置（終点）を示す第２の位置情報とが挙げられる。この場合、情報の取得を希望する方向は、情報提供サーバ２により決定される。また、方向決定用情報は、携帯端末１のユーザがタッチパネル１６上で指定した方向を示す情報としてもよい。
【００４２】
また、制御部１８は、加速度特定手段１５により特定された加速度を示す加速度情報を該加速度特定手段１５から取得する。なお、上記加速度情報は、携帯端末１から、後述する情報抽出範囲内の所定地点（情報取得地点）までの距離の決定に用いられる距離決定用情報の一例である。ここで、情報抽出範囲内の所定地点までの距離は、後述するように、携帯端末１において検出された加速度に基づいて決定することができるが、上記加速度情報の代わりに、加速度を算出するための情報を携帯端末１から情報提供サーバ２に送り、情報提供サーバ２側で加速度を算出するように構成してもよい。例えば、上記第１の位置情報と、上記第２の位置情報と、上記第１の位置に対応する第１の時刻（制御部１８が第１の位置情報を取得した時刻）情報と、上記第２の位置（終点）に対応する第２の時刻（制御部１８が第２の位置情報を取得した時刻）情報と、が距離決定用情報（上記方向決定用情報等と重複する情報は除外される）として、情報提供サーバ２に送信されるように構成してもよい。なお、時刻は携帯端末１の時計機能により取得される。また、上記第１の時刻情報と上記第２の時刻情報の代わりに、上記第１の時刻から上記第２の時刻までの時間（制御部１８により算出）を示す時間情報が、距離決定用情報の一つとして、情報提供サーバ２に送信されるように構成してもよい。また、上記第１の位置情報と上記第２の位置情報の代わりに、上記第１の位置から上記第２の位置までの距離（制御部１８により算出）を示す距離情報が、距離決定用情報の一つとして、情報提供サーバ２に送信されるように構成してもよい。また、上記第１の位置情報と上記第２の位置情報の代わりに、上記第１の位置と上記第２の位置との間の移動に要した移動速度（制御部１８により算出）を示す速度情報を、距離決定用情報の一つとして、情報提供サーバ２に送信されるように構成してもよい。また、距離決定用情報は、携帯端末１のユーザがタッチパネル１６上で指定した距離を示す情報としてもよい。
そして、制御部１８は、上記取得した位置情報（第１の位置情報）、方向決定用情報（例えば、方向情報、又は第２の位置情報）、及び情報取得要求をネットワークＮＷを介して情報提供サーバ２に送信する。或いは、制御部１８は、上記取得した位置情報（第１の位置情報）、方向決定用情報（例えば、方向情報、又は第２の位置情報）、距離決定用情報（例えば、加速度情報、又は第１の時刻情報と第２の時刻情報等）、及び情報取得要求をネットワークＮＷを介して情報提供サーバ２に送信する。当該情報取得要求に応じて情報提供サーバ２から送信された提供情報は、制御部１８により受信され、例えばタッチパネル１６に表示される。
【００４３】
［１−２．情報提供サーバ２の構成及び機能概要］
図３は、情報提供サーバ２の概要構成例を示すブロック図である。
【００４４】
図３に示すように、情報提供サーバ２は、通信部２１、記憶部２２、及びシステム制御部２３等を備えている。なお、情報提供サーバ２は、一つのサーバから構成されても良いし、複数のサーバ群から構成されても良い。
【００４５】
記憶部２２は、例えばハードディスクドライブ等により構成されており、ここにはＯＳ及びの各種プログラム（本発明の情報提供プログラム及びＷｅｂサーバプログラム等）及び各種データを記憶する。なお、本発明の情報提供プログラムは、例えば、他のサーバ装置等からネットワークＮＷを介して取得されるようにしても良いし、記録媒体に記録されてドライブ装置を介して読み込まれるようにしても良い。
【００４６】
また、記憶部２２には、地図データベース（ＤＢ）２２１、及び提供情報データベース（ＤＢ）２２２（提供情報記憶手段の一例）が構築されている。なお、提供情報データベース（ＤＢ）２２２（提供情報記憶手段の一例）は、情報提供サーバ２の内部に設けられてもよいし、情報提供サーバ２の外部に設けられてもよい。
【００４７】
地図データベース２２１には、地図を表すための地図データが登録されている。地図データには、施設，土地区画，道路，川，海，港及び山等を表す地図画像データと、地図画像上の各地点の位置情報（例えば経度及び緯度）、住所、及び種別等の情報とが含まれる。
【００４８】
ここで、施設の例としては、店舗（商店、デパート、飲食店等）、宿泊施設、博物館、美術館、動物園、遊園地等が挙げられる。また、地点の種別の例としては、施設、土地区画、道路、川、海、港、山等が挙げられる。
【００４９】
提供情報データベース２２２には、任意の地点（例えば施設等）から携帯端末１のユーザに提供されるべき提供情報が、例えば当該地点毎の位置情報（例えば経度及び緯度）に対応付けられて登録されている。提供情報の例としては、地域情報、観光情報、宿泊施設情報、店舗情報、クーポン情報等が挙げられる。
【００５０】
ここで、地域情報には、対応する地点の周辺地域の案内等の情報が含まれる。また、観光情報には、対応する地点の周辺の観光スポットの案内等の情報が含まれる。また、宿泊施設情報には、対応する地点に存在する宿泊施設の名称、種別、住所、空き部屋有無、宿泊価格、サービス内容、及び部屋画像等の情報が含まれる。また、店舗情報には、対応する地点に存在する店舗の名称、住所、商品やサービスの内容（商品種別やサービス種別を含む）、商品やサービスの価格、及び店内画像等の情報が含まれる。商品種別の例としては、食品、衣類、書籍等が挙げられる。また、サービス種別の例としては、飲食、喫茶、クリーニング等が挙げられる。店舗が飲食店であった場合、その店舗情報には、空席有無等の情報が含まれる。また、クーポン情報には、対応する地点に存在する施設の名称、住所、商品やサービスの内容（商品種別やサービス種別を含む）、当該施設で利用できる金券、割引券、又は無料利用券等を表す画像等の情報が含まれる。なお、提供情報に含まれるこれらの情報は、キーワード検索に用いられる属性情報の一例である。
【００５１】
システム制御部２３は、ＣＰＵ、ＲＯＭ、ＲＡＭ等により構成されている。そして、システム制御部２３は、ＣＰＵが、ＲＯＭや記憶部２２に記憶された各種プログラムを読み出し実行することにより、情報取得要求受信手段、情報抽出範囲決定手段、提供情報抽出手段、提供情報送信手段、情報抽出範囲変更手段、最大加速度設定手段、及び最大距離設定手段等として機能する。具体的には、システム制御部２３は、携帯端末１から送信された位置情報、方向決定用情報（又は位置情報、方向決定用情報及び距離決定用情報））、及び情報取得要求を、当該携帯端末１からネットワークＮＷ及び通信部２１を介して受信すると、受信された位置情報、及び方向決定用情報（又は位置情報、方向決定用情報及び距離決定用情報）に基づいて情報抽出範囲を決定し、決定した情報抽出範囲内の位置に対応する提供情報を提供情報データベース２２２から抽出する。例えば、システム制御部２３は、受信された位置情報に基づいて始点を決定し、受信した方向決定用情報に基づいて方向を決定し（或いは、受信された位置情報に基づいて始点を決定し、受信した方向決定用情報に基づいて方向を決定し、受信された距離決定用情報に基づいて距離を決定し）、決定した始点、及び方向（又は、始点、方向及び距離）に基づいて情報抽出範囲を決定し、決定した情報抽出範囲内の位置に対応する提供情報を提供情報データベース２２２から抽出する。そして、システム制御部２３は、抽出した提供情報を通信部２１及びネットワークＮＷを介して上記情報取得要求をした携帯端末１に送信する。
【００５２】
［２．情報提供システムの動作］
次に、本実施形態に係る情報提供システムＳの動作について、図４を用いて説明する。
【００５３】
図４は、携帯端末１と情報提供サーバ２における処理及び情報のやり取りを示すシーケンス図である。
【００５４】
先ず、携帯端末１がアプリ起動（ステップＳ１）により情報提供サーバ２にアクセスし加速度情報等の取得待機状態になっているときに、ユーザが把持している携帯端末１をある方向に向けてある速さで振ると、当該携帯端末１の制御部１８は、加速度特定手段１５により特定された加速度（例えば、携帯端末１を振ることによって特定された加速度）を示す加速度情報と、ＧＰＳ受信機１３により検出された現在位置を示す位置情報と、方位特定手段１４により特定された方向（携帯端末１の基準位置が向けられた方位）を示す方向情報とを取得する（ステップＳ２）。例えば、ユーザは、現在位置からある方向の比較的近い位置に存在する施設を探したい場合、携帯端末１をその方向に向けてゆっくり振る。一方、例えば、ユーザは、現在位置からある方向の比較的遠い位置に存在する施設を探したい場合、携帯端末１をその方向に向けてすばやく振る。イメージ的には、例えば、釣り人が、釣り竿に繋がっている釣り糸の先端部分に付いている餌付き釣り針を遠くに飛ばしたいときに、当該釣り竿を前方にすばやく振ることに似ている。
【００５５】
そして、ユーザが、例えばタッチパネル１６上に表示された「情報取得要求ボタン」に接触すると（又は、加速度情報の取得時点から所定時間（例えば１秒）経過すると）、制御部１８は、上記取得した位置情報、方向情報、加速度情報、及び情報取得要求をネットワークＮＷを介して情報提供サーバ２に送信する（ステップＳ３）。ここで、位置情報、方向情報、加速度情報、及び情報取得要求の送信タイミングは同時でなくともよい。また、携帯端末１において最初の加速度が特定された後（例えば、携帯端末１を振ることによって特定された最初の加速度を示す加速度情報の取得時点から）所定時間（例えば、２秒）内に、ユーザが最初の加速度が特定された方向とは異なる方向（例えば、逆方向）に携帯端末１を振ることにより該携帯端末１において特定された第２の加速度を示す第２加速度情報を制御部１８が取得した場合に、上記取得した位置情報、方向情報、加速度情報、及び情報取得要求をネットワークＮＷを介して情報提供サーバ２に送信する。このとき、制御部１８は、取得した加速度情報に加えて取得した第２加速度情報を情報提供サーバ２に送信（情報取得要求と共に送信、又は情報取得要求送信後に送信）するように構成しても良い。イメージ的には、例えば、釣り人が、釣り竿に感じたアタリに合わせるために釣り竿を後方にすばやく振ることに似ている。
【００５６】
また、携帯端末１が加速度情報等の取得待機状態になっているときに、制御部１８は、タッチパネル１６上に所望の属性情報を指定するための指定欄を表示し、ユーザが該指定欄で所望の属性情報を入力又は選択（例えば、選択候補リストから選択）することにより指定された属性情報を記憶しておく。そして、制御部１８は、上記加速度情報等を取得した場合に、指定された属性情報を上記情報取得要求とともにネットワークＮＷを介して情報提供サーバ２に送信するように構成しても良い。例えば、ユーザは、現在位置からある方向に存在する飲食店を探したい場合、飲食というワードを属性情報として指定した後、携帯端末１をその方向に向けて振ることになる。
【００５７】
一方、情報提供サーバ２のシステム制御部２３は、携帯端末１からネットワークＮＷを介して送信された位置情報、方向情報、加速度情報等、及び情報取得要求を受信すると（ステップＳ４）、当該位置情報に基づいて始点を決定し、当該方向情報に基づいて方向を決定し、当該加速度情報に基づいて距離を決定する（ステップＳ５）。ここで、始点は、例えば、上記位置情報に示される経度及び緯度で決定される。また、方向は、例えば、上記方向情報に示される方位で決定される。また、距離は、例えば、加速度と距離との対応関係を規定するテーブルが参照されることにより、または、加速度と距離との対応関係を規定する計算式により、上記加速度情報に示される加速度から決定される。携帯端末１がユーザにより、すばやく振られたときは加速度が大きくなるので、ゆっくり振られたときよりも距離が長くなる。なお、携帯端末１において特定される加速度の最大値（例えば、４．０）及びこの最大値に対応する距離の最大値はシステム制御部２３により予め設定される。
【００５８】
次いで、システム制御部２３は、決定した始点、方向、及び距離に基づいて情報取得地点を決定（演算により算出）する（ステップＳ６）。例えば、当該情報取得地点は、上記決定された始点から上記決定された方向の距離にある地点の経度及び緯度で決定される。
【００５９】
図５は、始点と情報取得地点との位置関係の一例を示す図である。図５（Ａ）に示す例では、携帯端末１を持つユーザの現在位置（始点）Ｐ１から北東の方角に情報取得地点Ｐ２が決定されている。
【００６０】
なお、システム制御部２３は、上記ステップＳ６において、例えば、決定した情報取得地点の種別を、地図データベース２２１に登録された地図データを参照することにより特定し、当該情報取得地点が例えば海である場合には、当該地点から最も近い位置にある港を情報取得地点として決定し直す。或いは、この場合、システム制御部２３は、例えば、決定した情報取得地点（海上）から陸地までの距離の２倍分、上記決定された方向とは逆方向に戻った地点（つまり、情報取得地点から前記始点の方向に戻った地点）を、情報取得地点として決定し直すように構成しても良い。或いは、この場合、システム制御部２３は、携帯端末１に対して、再度、携帯端末１を所望の方向に振らせることを促すメッセージを送信して、当該処理を終了するように構成しても良い。
【００６１】
次いで、システム制御部２３は、決定した情報取得地点から情報抽出範囲を決定する（ステップＳ７）。例えば、図５（Ｂ）に示すように、情報取得地点Ｐ１を中心として予め設定された半径ｒ（例えば、１０ｍ）の範囲（円の範囲）が情報抽出範囲（例えば、経度及び緯度で特定される範囲）Ｈとして決定される。
【００６２】
なお、情報提供サーバ２が携帯端末１から第２加速度情報を受信した場合、システム制御部２３は、受信した第２加速度情報に基づいて、当該情報抽出範囲を決定する。例えば、加速度と半径との対応関係を規定するテーブルが参照されることにより、または、加速度と半径との対応関係を規定する計算式により、上記第２加速度情報に示される第２の加速度に対応する半径が特定され、当該特定された半径に応じた情報抽出範囲が決定される。携帯端末１がユーザにより、すばやく振られたときは加速度が大きくなるので、ゆっくり振られたときよりも情報抽出範囲が大きく（面積が広く）なる。よって、ユーザは携帯端末１を振る速さにより情報抽出範囲の大きさを任意に調整することができる。なお、情報抽出範囲は、円形状に限定されるものではなく、矩形状であっても良い。
【００６３】
次いで、システム制御部２３は、決定した情報抽出範囲内の位置に対応する提供情報（情報要素）を提供情報データベース２２２から抽出する（ステップＳ８）。つまり、システム制御部２３は、提供情報データベース２２２に登録されている各提供情報に対応付けられた位置情報を参照して、上記情報抽出範囲内に位置情報が含まれる提供情報を抽出する。
【００６４】
なお、情報提供サーバ２が携帯端末１から属性情報を受信した場合、システム制御部２３は、受信した属性情報を含む提供情報を提供情報データベース２２２から抽出する。つまり、システム制御部２３は、受信した属性情報をキーワードとして検索を行い、このキーワードが含まれる提供情報を提供情報データベース２２２から抽出する。例えば、ユーザにより飲食というワードが属性情報として指定された場合、上記情報抽出範囲内に存在する店舗から提供される店舗情報又はクーポン情報のうち、飲食のワードを含む店舗情報又はクーポン情報が抽出されることになる。これにより、ユーザは、閲覧したい提供情報の属性を任意に指定することができる。
【００６５】
次いで、システム制御部２３は、抽出した提供情報の数が、予め設定された上限値（例えば、１０）以上であるか否かを判定する（ステップＳ９）。そして、システム制御部２３は、抽出した提供情報の数が、上限値以上であると判定した場合には（ステップＳ９：ＹＥＳ）、上記決定した情報抽出範囲の大きさを縮小し（ステップＳ１０）、ステップＳ８に戻る。例えば、システム制御部２３は、情報抽出範囲Ｈが円の範囲であるとした場合、図５（Ｃ）に示すように、その半径を所定割合（例えば、３０％）小さくした範囲Ｈｘを情報抽出範囲として決定し直す。これにより、ユーザに提供される提供情報が多すぎる（迅速に情報を閲覧し難い）ことを回避することができる。よって、ユーザに提示される提供情報の数を適切な数に調整することができる。
【００６６】
一方、システム制御部２３は、抽出した提供情報の数が、上限値以上でないと判定した場合には（ステップＳ９：ＮＯ）、ステップＳ１１に進む。
【００６７】
ステップＳ１１では、システム制御部２３は、抽出した提供情報の数が、予め設定された下限値（例えば、０）以下であるか否かを判定する。そして、システム制御部２３は、抽出した提供情報の数が、下限値以下であると判定した場合には（ステップＳ１１：ＹＥＳ）、上記決定した情報抽出範囲の大きさを拡大し（ステップＳ１２）、ステップＳ８に戻る。例えば、システム制御部２３は、情報抽出範囲が円の範囲であるとした場合、その半径を所定割合（例えば、２０％）大きくした範囲を情報抽出範囲として決定し直す。これにより、ユーザに提供される提供情報が無い、或いは少なくなることを回避することができる。よって、ユーザに提示される提供情報の数を適切な数に調整することができる。
【００６８】
一方、システム制御部２３は、抽出した提供情報の数が、下限値以下でないと判定した場合には（ステップＳ１１：ＮＯ）、ステップＳ１３に進む。
【００６９】
以上のステップＳ９〜Ｓ１２の処理により、上記ステップＳ８で抽出された提供情報の数に基づいて、情報抽出範囲の大きさが変更されることになる。
【００７０】
なお、上記ステップＳ９又はステップＳ１１を所定回数行っても条件を満たさない場合には、システム制御部２３は、携帯端末１に対して、再度、携帯端末１を所望の方向に振らせることを促すメッセージを送信して、当該処理を終了するように構成しても良い。
【００７１】
そして、ステップＳ１３では、システム制御部２３は、抽出した提供情報（情報要素）を通信部２１及びネットワークＮＷを介して上記情報取得要求をした携帯端末１に送信する。
【００７２】
一方、携帯端末１の制御部１８は、情報提供サーバ２から送信された提供情報（送信された情報に応じて、情報提供サーバ２から送信されてくる情報要素）を受信し（ステップＳ１４）、受信した提供情報をタッチパネル１６上に表示する（ステップＳ１５）。これにより、ユーザは表示された提供情報を閲覧することができる。
【００７３】
以上説明したように、上記実施形態によれば、情報提供サーバ２は、携帯端末１において取得された位置情報、方向情報、加速度情報、及び情報取得要求を、当該携帯端末１から受信すると、該位置情報に基づいて始点を決定し、該方向情報に基づいて方向を決定し、該加速度情報に基づいて距離を決定し、決定した始点、方向、及び距離に基づいて情報抽出範囲を決定する。そして、情報提供サーバ２は、決定した情報抽出範囲内の位置に対応する提供情報を提供情報データベース２２２から抽出し、該提供情報を携帯端末１に提供するように構成したので、携帯端末１のユーザが、目的地が定まっていない場合であっても、ユーザの現在位置から大よその方向で且つ大よその距離に存在する施設等の提供情報を携帯端末１で効率良く取得しユーザに提示することができる。また、携帯端末１のユーザが、なんとなくどこかに行きたいときに、例えばお得なクーポン情報等を得ることができ、これがユーザの動機付けとさせることが可能となるので、クーポン情報等の提供者側は自身の店舗等へユーザを誘導させることができる。
【００７４】
なお、上記実施形態において、携帯端末１に送信された提供情報は、タッチパネル１６上に表示された地図領域（例えば、現在位置を含む周辺領域）上の提供情報に対応する位置に表示されるように構成しても良い。そして、この地図領域は、ユーザによるタッチパネル１８上における操作により変更（つまり、縮尺が変更）される。この場合において、携帯端末１は、タッチパネル１８に表示されている地図領域に関する領域情報（例えば、地図の縮尺情報）を情報提供サーバ２に送信し、当該領域情報を受信した情報提供サーバ２は、この領域情報に基づき加速度と距離との対応関係を変更するように構成すれば、より効果的である。
【００７５】
図６は、携帯端末１のタッチパネル１８上に表示された地図領域の一例を示す図である。図６（Ａ）は、縮尺αの地図領域の表示例であり、図６（Ｂ）は、縮尺βの地図領域の表示例である。
【００７６】
情報提供サーバ２が携帯端末１から領域情報を受信した場合、システム制御部２３は、上記加速度情報に基づいて決定する距離の最大値を、受信した領域情報に基づいて設定する。図６（Ａ）に示す例では、加速度の最大値は「４．０」に設定され、領域情報に基づく距離の最大値は「６００ｍ」に設定される。一方、図６（Ｂ）に示す例では、加速度の最大値は「４．０」に設定され、領域情報に基づく距離の最大値は「３００ｍ」に設定される。システム制御部２３は、このように設定された加速度の最大値と距離の最大値に基づいて、上記ステップＳ４で受信された加速度情報に示される加速度に対応する距離を上記ステップＳ５で決定することになる。このような構成によれば、ユーザは、携帯端末１に現在表示されている地図領域の範囲内で施設等を探し、その提供情報を閲覧することができる。つまり、携帯端末１において最大の加速度が特定されても、探す対象となる施設が現在表示されている地図領域外となることがないので、地図領域をスクロールさせて閲覧する煩雑さを回避することができる。
【００７７】
また、上記実施形態において、携帯端末１の制御部１８は、加速度情報を除いて、上記位置情報、方向情報、及び情報取得要求を情報提供サーバ２に送信するように構成しても良い。この場合、情報提供サーバ２のシステム制御部２３は、位置情報に基づいて始点を決定し、方向情報に基づいて方向を決定し、決定した始点及び方向に基づいて情報抽出範囲を決定する。例えば、情報抽出範囲は、決定された始点から、決定された方向に向かって伸びた直線を基準とするプラスマイナス所定角度（例えば、５度）の扇形の領域となる。なお、上記直線の長さは予め設定（例えば、１００ｍ〜５００ｍ）されるように構成しても良いし、携帯端末１のユーザが任意に設定できるように構成しても良い。この構成によれば、加速度情報を用いなくても、携帯端末１のユーザが、ユーザの現在位置から大よその方向に存在する施設等の提供情報を携帯端末１で効率良く取得しユーザに提示することができる。
【００７８】
また、上記実施形態において、携帯端末１の制御部１８は、上記方向情報の以外の方向決定用情報（例えば、上述した第２の位置情報等）を、情報提供サーバ２に送信するように構成してもよい。この場合、情報提供サーバ２は、位置情報に基づいて始点を決定し、方向決定用情報に基づいて第１の位置（始点）から第２の位置（終点）への方向を決定し、決定した始点及び方向に基づいて情報抽出範囲を決定する。
【００７９】
また、上記実施形態において、携帯端末１の制御部１８は、上記加速度情報の以外の距離決定用情報（例えば、上述した第１の時刻情報、及び第２の時刻情報等）を、情報提供サーバ２に送信するように構成してもよい。この場合、情報提供サーバ２は、位置情報に基づいて始点を決定し、方向決定用情報に基づいて方向を決定し、距離決定用情報に基づいて距離を決定し、決定した始点、方向、及び距離に基づいて情報抽出範囲を決定する。ここで、例えば、上記第１の位置から上記第２の位置までの距離（携帯端末１又は情報提供サーバ２により算出）と、上記第１の時刻から上記第２の時刻までの時間（携帯端末１又は情報提供サーバ２により算出）と、により算出された速度（携帯端末１又は情報提供サーバ２により算出）を、上記第１の時刻から上記第２の時刻までの時間で除算した加速度（上述した第２加速度についても、同様の要領で算出してもよい）に基づいて上記ステップＳ５と同じように、距離が決定される。
【符号の説明】
【００８０】
１  携帯端末
２  情報提供サーバ
１１  通信部
１２  記憶部
１３  ＧＰＳ受信機
１４  方位特定手段
１５  加速度特定手段
１６  タッチパネル
１７  スピーカ
１８  制御部
２１  通信部
２２  記憶部
２３  システム制御部
ＮＷ  ネットワーク
Ｓ  情報提供システム
【図１】
2011093322.tif 000003
【図２】
2011093322.tif 000004
【図３】
2011093322.tif 000005
【図４】
2011093322.tif 000006
【図５】
2011093322.tif 000007
【図６】
2011093322.tif 000008
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
ユーザが情報の取得を希望する方向に向けて携帯型端末装置を振ったときの加速度を示す加速度情報、前記方向を示す方向情報、前記携帯型端末装置の位置を示す位置情報、及び情報取得要求を、当該携帯型端末装置から通信手段を介して受信する情報取得要求受信手段と、
前記受信された前記加速度情報、前記方向情報、及び前記位置情報に基づいて情報抽出範囲を決定する情報抽出範囲決定手段と、
前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段と、
前記抽出された提供情報を前記通信手段を介して前記情報取得要求をした前記携帯型端末装置に送信する提供情報送信手段と、
を備えることを特徴とするサーバ装置。
【請求項２】
前記情報の取得を希望する方向は、前記携帯型端末装置の基準位置が向いている方向であることを特徴とする請求項１に記載のサーバ装置。
【請求項３】
前記情報抽出範囲決定手段は、前記位置情報が示す位置から、前記方向情報が示す方向にある地点であり、且つ、前記加速度情報に示される加速度の大きさに応じた距離にある地点を含む範囲を前記情報抽出範囲として決定することを特徴とする請求項１又は２に記載のサーバ装置。
【請求項４】
前記情報抽出範囲内の位置に対応する前記提供情報の数に基づいて、当該情報抽出範囲の大きさを変更する情報抽出範囲変更手段をさらに備えることを特徴とする請求項１乃至３の何れか一項に記載のサーバ装置。
【請求項５】
前記情報取得要求受信手段は、前記加速度が前記携帯型端末装置において特定された後、所定時間内に前記携帯型端末装置において特定された第２の加速度を示す第２加速度情報を当該携帯型端末装置から受信し、
前記情報抽出範囲決定手段は、さらに、前記受信された第２加速度情報に基づいて、前記情報抽出範囲を決定することを特徴とする請求項１乃至４の何れか一項に記載のサーバ装置。
【請求項６】
最初の前記加速度の方向と前記第２の加速度の方向とは異なる方向であることを特徴とする請求項５に記載のサーバ装置。
【請求項７】
前記情報取得要求受信手段は、前記携帯型端末装置の表示部に表示されている領域に関する領域情報を当該携帯型端末装置から受信し、
前記サーバ装置は、
特定される加速度の最大値を設定する最大加速度設定手段と、
前記加速度情報に基づいて決定する距離の最大値を、前記領域情報に基づいて設定する最大距離設定手段と、
前記設定された加速度の最大値と距離の最大値に基づいて、前記受信された加速度情報に示される加速度に対応する前記距離を決定する距離決定手段と、
を更に備えることを特徴とする請求項３に記載のサーバ装置。
【請求項８】
前記提供情報は属性情報を含み、
前記情報取得要求受信手段は、前記携帯型端末装置おいてユーザにより指定された属性情報を当該前記携帯型端末装置から受信し、
前記提供情報抽出手段は、前記受信された属性情報を含む前記提供情報を前記提供情報記憶手段から抽出することを特徴とする請求項１乃至７の何れか一項に記載のサーバ装置。
【請求項９】
コンピュータを、
ユーザが情報の取得を希望する方向に向けて携帯型端末装置を振ったときの加速度を示す加速度情報、前記方向を示す方向情報、前記携帯型端末装置の位置を示す位置情報、及び情報取得要求を、当該携帯型端末装置から通信手段を介して受信する情報取得要求受信手段、
前記受信された前記加速度情報、前記方向情報、及び前記位置情報に基づいて情報抽出範囲を決定する情報抽出範囲決定手段、
前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段、及び
前記抽出された提供情報を前記通信手段を介して前記情報取得要求をした前記携帯型端末装置に送信する提供情報送信手段として機能させることを特徴とする情報提供プログラム。
【請求項１０】
コンピュータを、
ユーザが情報の取得を希望する方向に向けて携帯型端末装置を振ったときの加速度を示す加速度情報、前記方向を示す方向情報、前記携帯型端末装置の位置を示す位置情報、及び情報取得要求を、当該携帯型端末装置から通信手段を介して受信する情報取得要求受信手段、
前記受信された前記加速度情報、前記方向情報、及び前記位置情報に基づいて情報抽出範囲を決定する情報抽出範囲決定手段、
前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段、及び
前記抽出された提供情報を前記通信手段を介して前記情報取得要求をした前記携帯型端末装置に送信する提供情報送信手段として機能させる情報提供プログラムを記録した記録媒体。
【請求項１１】
サーバ装置が、ユーザが情報の取得を希望する方向に向けて携帯型端末装置を振ったときの加速度を示す加速度情報、前記方向を示す方向情報、前記携帯型端末装置の位置を示す位置情報、及び情報取得要求を、当該携帯型端末装置から通信手段を介して受信するステップと、
前記サーバ装置が、前記受信された前記加速度情報、前記方向情報、及び前記位置情報に基づいて情報抽出範囲を決定するステップと、
前記サーバ装置が、前記携帯型端末装置のユーザに提供されるべき提供情報を位置情報に対応付けて記憶する提供情報記憶手段から、前記決定された情報抽出範囲内の位置に対応する前記提供情報を抽出するステップと、
前記サーバ装置が、前記抽出された提供情報を前記通信手段を介して前記情報取得要求をした前記携帯型端末装置に送信するステップと、
を含むことを特徴とする情報提供方法。
【請求項１２】
携帯型端末装置と、該携帯型端末装置が通信手段を介してアクセス可能なサーバ装置と、を備える情報提供システムであって、
前記携帯型端末装置は、
ユーザが情報の取得を希望する方向に向けて携帯型端末装置を振ったときの加速度を示す加速度情報、前記方向を示す方向情報、及び前記携帯型端末装置の位置を示す位置情報を取得する情報取得手段と、
前記取得された前記加速度情報、前記方向情報、前記位置情報、及び情報取得要求を通信手段を介して前記サーバ装置に送信する情報取得要求送信手段と、
を備え、
前記サーバ装置は、
前記送信された前記加速度情報、前記方向情報、前記位置情報、及び情報取得要求を受信する情報取得要求受信手段と、
前記受信された前記加速度情報、前記方向情報、及び前記位置情報に基づいて情報抽出範囲を決定する情報抽出範囲決定手段と、
前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段と、
前記抽出された提供情報を前記通信手段を介して前記情報取得要求をした前記携帯型端末装置に送信する提供情報送信手段と、
を備えることを特徴とする情報提供システム。
【請求項１３】
前記情報の取得を希望する方向は、前記携帯型端末装置の基準位置が向いている方向であることを特徴とする請求項１２に記載の情報提供システム。
【請求項１４】
前記情報抽出範囲決定手段は、前記位置情報が示す位置から、前記方向情報が示す方向にある地点であり、且つ、前記加速度情報に示される加速度の大きさに応じた距離にある地点を含む範囲を前記情報抽出範囲として決定することを特徴とする請求項１２又は１３に記載の情報提供システム。
【請求項１５】
ユーザが情報の取得を希望する方向に向けて携帯型端末装置を振ったときの加速度を示す加速度情報、前記方向を示す方向情報、及び前記携帯型端末装置の位置を示す位置情報を取得する情報取得手段と、
前記取得された前記加速度情報、前記方向情報、前記位置情報、及び情報取得要求を通信手段を介して前記サーバ装置に送信する情報取得要求送信手段と、
前記情報取得要求送信手段により送信された情報に応じて、前記サーバ装置から送信されてくる、情報要素を受信する受信手段と、
前記受信された情報要素を表示する表示手段と、
を備えることを特徴とする携帯型端末装置。
【請求項１６】
前記情報の取得を希望する方向は、前記携帯型端末装置の基準位置が向いている方向であることを特徴とする請求項１５に記載の携帯型端末装置。
【請求項１７】
携帯型端末装置に含まれるコンピュータを、
ユーザが情報の取得を希望する方向に向けて携帯型端末装置を振ったときの加速度を示す加速度情報、前記方向を示す方向情報、及び前記携帯型端末装置の位置を示す位置情報を取得する情報取得手段、
前記取得された前記加速度情報、前記方向情報、前記位置情報、及び情報取得要求を通信手段を介して前記サーバ装置に送信する情報取得要求送信手段、
前記送信された情報に応じて、前記サーバ装置から送信されてくる、情報要素を受信する受信手段、及び、
前記受信された情報要素を表示する表示手段として機能させることを特徴とする端末処理プログラム。
【請求項１８】
携帯型端末装置に含まれるコンピュータを、
ユーザが情報の取得を希望する方向に向けて携帯型端末装置を振ったときの加速度を示す加速度情報、前記方向を示す方向情報、及び前記携帯型端末装置の位置を示す位置情報を取得する情報取得手段、
前記取得された前記加速度情報、前記方向情報、前記位置情報、及び情報取得要求を通信手段を介して前記サーバ装置に送信する情報取得要求送信手段、
前記送信された情報に応じて、前記サーバ装置から送信されてくる、情報要素を受信する受信手段、及び、
前記受信された情報要素を表示する表示手段として機能させる端末処理プログラムを記録した記録媒体。
【手続補正２】
【補正対象書類名】明細書
【補正対象項目名】０００９
【補正方法】変更
【補正の内容】
【０００９】
上記課題を解決するために、請求項１に記載の発明は、ユーザが情報の取得を希望する方向に向けて携帯型端末装置を振ったときの加速度を示す加速度情報、前記方向を示す方向情報、前記携帯型端末装置の位置を示す位置情報、及び情報取得要求を、当該携帯型端末装置から通信手段を介して受信する情報取得要求受信手段と、前記受信された前記加速度情報、前記方向情報、及び前記位置情報に基づいて情報抽出範囲を決定する情報抽出範囲決定手段と、前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段と、前記抽出された提供情報を前記通信手段を介して前記情報取得要求をした前記携帯型端末装置に送信する提供情報送信手段と、を備えることを特徴とする。この発明によれば、携帯型端末装置のユーザが、目的地が定まっていない場合であっても、ユーザが携帯型端末装置を振ることによって、ユーザの現在位置から大よその方向で且つ大よその距離に存在する施設等の提供情報を携帯型端末装置で効率良く取得しユーザに提示することができる。
【手続補正３】
【補正対象書類名】明細書
【補正対象項目名】００１０
【補正方法】変更
【補正の内容】
【００１０】
請求項２に記載の発明は、請求項１に記載のサーバ装置において、前記情報の取得を希望する方向は、前記携帯型端末装置の基準位置が向いている方向であることを特徴とすることを特徴とする。
【手続補正４】
【補正対象書類名】明細書
【補正対象項目名】００１１
【補正方法】変更
【補正の内容】
【００１１】
請求項３に記載の発明は、請求項１又は２に記載のサーバ装置において、前記情報抽出範囲決定手段は、前記位置情報が示す位置から、前記方向情報が示す方向にある地点であり、且つ、前記加速度情報に示される加速度の大きさに応じた距離にある地点を含む範囲を前記情報抽出範囲として決定することを特徴とする。この発明によれば、携帯型端末装置のユーザが、目的地が定まっていない場合であっても、ユーザが携帯型端末装置を振ることによって、ユーザの現在位置から大よその方向で且つ大よその距離に存在する施設等の提供情報を携帯型端末装置で効率良く取得しユーザに提示することができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項５に記載の発明は、請求項１乃至４の何れか一項に記載のサーバ装置において、前記情報取得要求受信手段は、前記加速度が前記携帯型端末装置において特定された後、所定時間内に前記携帯型端末装置において特定された第２の加速度を示す第２加速度情報を当該携帯型端末装置から受信し、前記情報抽出範囲決定手段は、さらに、前記受信された第２加速度情報に基づいて、前記情報抽出範囲を決定することを特徴とすることを特徴とする。この発明によれば、ユーザは携帯型端末装置を振る速さにより情報抽出範囲の大きさを任意に調整することができる。
【手続補正７】
【補正対象書類名】明細書
【補正対象項目名】００１５
【補正方法】変更
【補正の内容】
【００１５】
請求項６に記載の発明は、請求項５に記載のサーバ装置において、最初の前記加速度の方向と前記第２の加速度の方向とは異なる方向であることを特徴とする。この発明によれば、ユーザは、携帯型端末装置を振る２つの方向で無理なく簡単に情報抽出範囲の大きさを任意に調整することができる。
【手続補正８】
【補正対象書類名】明細書
【補正対象項目名】００１６
【補正方法】変更
【補正の内容】
【００１６】
請求項７に記載の発明は、請求項３に記載のサーバ装置において、前記情報取得要求受信手段は、前記携帯型端末装置の表示部に表示されている領域に関する領域情報を当該携帯型端末装置から受信し、前記サーバ装置は、特定される加速度の最大値を設定する最大加速度設定手段と、前記加速度情報に基づいて決定する距離の最大値を、前記領域情報に基づいて設定する最大距離設定手段と、前記設定された加速度の最大値と距離の最大値に基づいて、前記受信された加速度情報に示される加速度に対応する前記距離を決定する距離決定手段と、を更に備えることを特徴とする。この発明によれば、ユーザは、携帯型端末装置に現在表示されている領域の範囲内で施設等を探し、その提供情報を閲覧することができる。
【手続補正９】
【補正対象書類名】明細書
【補正対象項目名】００１７
【補正方法】変更
【補正の内容】
【００１７】
請求項８に記載の発明は、請求項１乃至７の何れか一項に記載のサーバ装置において、前記提供情報は属性情報を含み、前記情報取得要求受信手段は、前記携帯型端末装置おいてユーザにより指定された属性情報を当該前記携帯型端末装置から受信し、前記提供情報抽出手段は、前記受信された属性情報を含む前記提供情報を前記提供情報記憶手段から抽出することを特徴とする。この発明によれば、ユーザは、閲覧したい提供情報の属性を任意に指定することができる。
【手続補正１０】
【補正対象書類名】明細書
【補正対象項目名】００１８
【補正方法】変更
【補正の内容】
【００１８】
請求項９に記載の発明は、コンピュータを、ユーザが情報の取得を希望する方向に向けて携帯型端末装置を振ったときの加速度を示す加速度情報、前記方向を示す方向情報、前記携帯型端末装置の位置を示す位置情報、及び情報取得要求を、当該携帯型端末装置から通信手段を介して受信する情報取得要求受信手段、前記受信された前記加速度情報、前記方向情報、及び前記位置情報に基づいて情報抽出範囲を決定する情報抽出範囲決定手段、前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段、及び  前記抽出された提供情報を前記通信手段を介して前記情報取得要求をした前記携帯型端末装置に送信する提供情報送信手段として機能させることを特徴とする情報提供プログラム（コンピュータ読み取り可能なプログラム）である。
【手続補正１１】
【補正対象書類名】明細書
【補正対象項目名】００１９
【補正方法】変更
【補正の内容】
【００１９】
請求項１０に記載の発明は、コンピュータを、ユーザが情報の取得を希望する方向に向けて携帯型端末装置を振ったときの加速度を示す加速度情報、前記方向を示す方向情報、前記携帯型端末装置の位置を示す位置情報、及び情報取得要求を、当該携帯型端末装置から通信手段を介して受信する情報取得要求受信手段、前記受信された前記加速度情報、前記方向情報、及び前記位置情報に基づいて情報抽出範囲を決定する情報抽出範囲決定手段、前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段、及び前記抽出された提供情報を前記通信手段を介して前記情報取得要求をした前記携帯型端末装置に送信する提供情報送信手段として機能させる情報提供プログラムを記録した記録媒体である。
【手続補正１２】
【補正対象書類名】明細書
【補正対象項目名】００２０
【補正方法】変更
【補正の内容】
【００２０】
請求項１１に記載の発明は、サーバ装置が、ユーザが情報の取得を希望する方向に向けて携帯型端末装置を振ったときの加速度を示す加速度情報、前記方向を示す方向情報、前記携帯型端末装置の位置を示す位置情報、及び情報取得要求を、当該携帯型端末装置から通信手段を介して受信するステップと、前記サーバ装置が、前記受信された前記加速度情報、前記方向情報、及び前記位置情報に基づいて情報抽出範囲を決定するステップと、前記サーバ装置が、前記携帯型端末装置のユーザに提供されるべき提供情報を位置情報に対応付けて記憶する提供情報記憶手段から、前記決定された情報抽出範囲内の位置に対応する前記提供情報を抽出するステップと、前記サーバ装置が、前記抽出された提供情報を前記通信手段を介して前記情報取得要求をした前記携帯型端末装置に送信するステップと、を含むことを特徴とする。
【手続補正１３】
【補正対象書類名】明細書
【補正対象項目名】００２１
【補正方法】変更
【補正の内容】
【００２１】
請求項１２に記載の発明は、携帯型端末装置と、該携帯型端末装置が通信手段を介してアクセス可能なサーバ装置と、を備える情報提供システムであって、前記携帯型端末装置は、ユーザが情報の取得を希望する方向に向けて携帯型端末装置を振ったときの加速度を示す加速度情報、前記方向を示す方向情報、及び前記携帯型端末装置の位置を示す位置情報を取得する情報取得手段と、前記取得された前記加速度情報、前記方向情報、前記位置情報、及び情報取得要求を通信手段を介して前記サーバ装置に送信する情報取得要求送信手段と、を備え、前記サーバ装置は、前記送信された前記加速度情報、前記方向情報、前記位置情報、及び情報取得要求を受信する情報取得要求受信手段と、前記受信された前記加速度情報、前記方向情報、及び前記位置情報に基づいて情報抽出範囲を決定する情報抽出範囲決定手段と、前記携帯型端末装置のユーザに提供されるべき提供情報を位置情報に対応付けて記憶する提供情報記憶手段から、前記決定された情報抽出範囲内の位置に対応する前記提供情報を抽出する提供情報抽出手段と、前記抽出された提供情報を前記通信手段を介して前記情報取得要求をした前記携帯型端末装置に送信する提供情報送信手段と、を備えることを特徴とする。
【手続補正１４】
【補正対象書類名】明細書
【補正対象項目名】００２２
【補正方法】変更
【補正の内容】
【００２２】
請求項１３に記載の発明は、請求項１２に記載の情報提供システムにおいて、前記情報の取得を希望する方向は、前記携帯型端末装置の基準位置が向いている方向であることを特徴とする。
【手続補正１５】
【補正対象書類名】明細書
【補正対象項目名】００２３
【補正方法】変更
【補正の内容】
【００２３】
請求項１４に記載の発明は、請求項１２又は１３に記載の情報提供システムにおいて、前記情報抽出範囲決定手段は、前記位置情報が示す位置から、前記方向情報が示す方向にある地点であり、且つ、前記加速度情報に示される加速度の大きさに応じた距離にある地点を含む範囲を前記情報抽出範囲として決定することを特徴とする。
【手続補正１６】
【補正対象書類名】明細書
【補正対象項目名】００２４
【補正方法】変更
【補正の内容】
【００２４】
請求項１５に記載の発明は、ユーザが情報の取得を希望する方向に向けて携帯型端末装置を振ったときの加速度を示す加速度情報、前記方向を示す方向情報、及び前記携帯型端末装置の位置を示す位置情報を取得する情報取得手段と、前記取得された前記加速度情報、前記方向情報、前記位置情報、及び情報取得要求を通信手段を介して前記サーバ装置に送信する情報取得要求送信手段と、前記情報取得要求送信手段により送信された情報に応じて、前記サーバ装置から送信されてくる、情報要素を受信する受信手段と、前記受信された情報要素を表示する表示手段と、を備えることを特徴とする。
【手続補正１７】
【補正対象書類名】明細書
【補正対象項目名】００２５
【補正方法】変更
【補正の内容】
【００２５】
請求項１６に記載の発明は、請求項１５に記載の携帯型端末装置において、前記情報の取得を希望する方向は、前記携帯型端末装置の基準位置が向いている方向であることを特徴とする。
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
請求項１７に記載の発明は、携帯型端末装置に含まれるコンピュータを、ユーザが情報の取得を希望する方向に向けて携帯型端末装置を振ったときの加速度を示す加速度情報、前記方向を示す方向情報、及び前記携帯型端末装置の位置を示す位置情報を取得する情報取得手段、前記取得された前記加速度情報、前記方向情報、前記位置情報、及び情報取得要求を通信手段を介して前記サーバ装置に送信する情報取得要求送信手段、前記送信された情報に応じて、前記サーバ装置から送信されてくる、情報要素を受信する受信手段、及び、前記受信された情報要素を表示する表示手段として機能させることを特徴とする端末処理プログラム（コンピュータ読み取り可能なプログラム）である。
【手続補正２０】
【補正対象書類名】明細書
【補正対象項目名】００２８
【補正方法】変更
【補正の内容】
【００２８】
請求項１８に記載の発明は、携帯型端末装置に含まれるコンピュータを、ユーザが情報の取得を希望する方向に向けて携帯型端末装置を振ったときの加速度を示す加速度情報、前記方向を示す方向情報、及び前記携帯型端末装置の位置を示す位置情報を取得する情報取得手段、前記取得された前記加速度情報、前記方向情報、前記位置情報、及び情報取得要求を通信手段を介して前記サーバ装置に送信する情報取得要求送信手段、前記送信された情報に応じて、前記サーバ装置から送信されてくる、情報要素を受信する受信手段、及び、前記受信された情報要素を表示する表示手段として機能させる端末処理プログラムを記録した記録媒体である。
【国際調査報告】
2011093322.tif 000009
2011093322.tif 000010
2011093322.tif 000011
2011093322.tif 000012